(57)【特許請求の範囲】
【請求項１】
本体内に熱交換器が配設され、前記本体の前面に配設される前面パネルと前記熱交換器の下方に配設されるドレンパンを有する空気調和機であって、
前記ドレンパンが、上部を開口して下部に底部を有するとともに下窄まり状に形成した凹部を有する胴体部を備えて形成され、前記胴体部の上部にはフランジ部が形成されるとともに、前記フランジ部の直下には薄壁部が形成され、
前記薄壁部の下部には、薄壁部から外方に向かって急激に立ち上がる厚壁部が中空部を有して前記薄壁部と一体的に形成され、
前記ドレンパンが前記凹部に対して左右対称に形成されていることを特徴とする空気調和機。
【請求項２】
本体内に熱交換器が配設され、前記本体の前面に配設される前面パネルと前記熱交換器の下方に配設されるドレンパンを有する空気調和機であって、
前記ドレンパンが、上部を開口して下部に底部を有するとともに下窄まり状に形成した凹部を有する胴体部を備えて形成され、前記胴体部の上部にはフランジ部が形成されるとともに、前記フランジ部の直下には薄壁部が形成され、
前記薄壁部の下部には、薄壁部から外方に向かって急激に立ち上がる厚壁部が中空部を有して前記薄壁部と一体的に形成され、
かつ、前記フランジ部、前記胴体部及び底部に中空部が連続的に形成され、
前記ドレンパンが前記凹部に対して左右対称に形成されていることを特徴とする空気調和機。
【発明の詳細な説明】
【０００１】
【発明の属する技術分野】
この発明は、熱交換器を有するとともに前面パネルとドレンパンとを有する空気調和機に関する。
【０００２】
【従来の技術】
従来、空気調和器は、家庭用のものやオフィス用あるいは工場用で使用されることによってそれぞれタイプが異なり、例えば、家庭内に設置されるものは壁に設置するユニット型が多く使用され、またオフィスや工場で使用されるものは床上の設置されるパッケージ型が主に使用されている。さらに工場で使用される空気調和器はオフィスで使用される空気調和器より大型のものが使用され、いずれも熱交換器とドレンパンが配置されている。
【０００３】
図６に示す空気調和機は、家庭用で設置される一般的な空気調和機１であり、壁に取り付けられるように形成されるとともに、本体ケース２の上部前面には吸い込み口９を有する前面パネル３が配置され、本体ケース２内に熱交換器４が配置されている。また、本体ケース２内の中央部には本体ケース２内を横設するように送風機５が配置され、熱交換器４の下方にはドレンパン６が取り付けられている。
【０００４】
前面パネル３は吸い込み口９の部分を除いて連続的な薄肉板状に形成され、熱交換器４の外部を覆うように配置されるフィルタ７の上部を覆うように取り付けられている。ドレンパン６は薄肉状の板部材で形成されるとともに断面凹状に形成され、冷房運転時に熱交換器４で発生した凝縮水を回収するように形成されている。
【０００５】
上記の空気調和機１はリモートコントロールにより操作され、ドレンパン６の下方の吹き出し口１０より温風または冷風が吹き出され室内を適温に維持する。冷房運転時においては、熱交換器４で発生した凝縮水はドレンパン６に回収された後外部に排出されるようになっている。
【０００６】
【発明が解決しようとする課題】
しかし、上記の空気調和機１はドレンパン６や前面パネル３の壁厚が薄いため断熱効果が弱く、室内に適温な空気を送ることができにくかったり、また、特に冷房運転時においては、熱交換器４から発生する凝縮水がドレンパン６に回収される際、ドレンパン６の壁部の内側面と外側面との温度差によりドレンパン６の壁部の外側面に結露が発生してしまう。結露が発生すると吹き出し口１０から空気を送る際に、水が空気とともに飛散してしまう。さらに送風機５の回転による騒音や振動が前面パネル３やドレンパン６に伝導されて室内に伝わりやすい。そのため、ドレンパン等の外周面にはインシュレーションボード等の異種部材を貼付することも少なからず行なわれていた。しかし、異種部材を貼付するにはドレンパン成型後に行なわれるため手間がかかりコストアップにも繋がっていた。
【０００７】
この発明は、上述の課題を解決するものであり、凝縮水の飛散をなくし断熱効果を向上させるとともに防振・防音を図りしかも廉価に製作できる空気調和機を提供することを目的とする。
【０００８】
【課題を解決するための手段】
この発明にかかわる空気調和機では、上述の課題を解決するために以下のように構成するものである。すなわち、
本体内に熱交換器が配設され、前記本体の前面に配設される前面パネルと前記熱交換器の下方に配設されるドレンパンを有する空気調和機であって、
前記ドレンパンが、上部を開口して下部に底部を有するとともに下窄まり状に形成した凹部を有する胴体部を備えて形成され、前記胴体部の上部にはフランジ部が形成されるとともに、前記フランジ部の直下には薄壁部が形成され、
前記薄壁部の下部には、薄壁部から外方に向かって急激に立ち上がる厚壁部が中空部を有して前記薄壁部と一体的に形成され、
前記ドレンパンが前記凹部に対して左右対称に形成されていることを特徴とするものである。
【０００９】
また、本発明の空気調和機は、本体内に熱交換器が配設され、前記本体の前面に配設される前面パネルと前記熱交換器の下方に配設されるドレンパンを有する空気調和機であって、
前記ドレンパンが、上部を開口して下部に底部を有するとともに下窄まり状に形成した凹部を有する胴体部を備えて形成され、前記胴体部の上部にはフランジ部が形成されるとともに、前記フランジ部の直下には薄壁部が形成され、
前記薄壁部の下部には、薄壁部から外方に向かって急激に立ち上がる厚壁部が中空部を有して前記薄壁部と一体的に形成され、
かつ、前記フランジ部、前記胴体部及び底部に中空部が連続的に形成され、
前記ドレンパンが前記凹部に対して左右対称に形成されていることを特徴とするものである。
【００１２】
【発明の実施の形態】
以下、この発明の一実施の形態を図面に基づいて説明する。
【００１３】
図１における本発明の空気調和機１１は、図６に示す一般的な空気調和機１に取り付けられた前面パネル３とドレンパン６に代わって、改良された前面パネル１３とドレンパン１６を取り付けたものである。したがって以下の説明に示される他の部位については図６に示す符号と同一とする。
【００１４】
図２〜４に示されるドレンパンは、改良された各種の形態の断面を示すものであり、図２のドレンパン１６はスチロールまたはＡＢＳ等の材料で発泡加工によって一体的成型され、凹状に形成された胴体部１６ａの上面には外方に向かって形成されるフランジ部１６ｂと、フランジ部１６ｂと同一厚みで形成されフランジ部の直下に配置される薄壁部１６ｄから胴体部１６ａの両側面に外側に向かって立ち上がるように形成される厚壁部１６ｃとを有している。そして、厚壁部１６ｃは薄壁部１６ｄに対して数倍の厚みを有している。なお、ドレンパン１６の材料は上記に限らずプラスチックの発泡部材であればよく、厚壁部１６ｃの厚みが１０ｍｍ程度以下であれば、通常、常圧で一体成型される。また、厚壁部１６ｃの厚みが１０ｍｍ程度を越す場合には常圧で加工される薄壁部１６ｄに対して高圧で成型される。
【００１５】
図３のドレンパン２６は、凹部を有する略Ｕ字形の胴体部２６ａと、胴体部２６ａの上部に形成されるフランジ部２６ｂとを有し、胴体部２６ａの両側面にはフランジ部２６ｂと同一厚みで形成されフランジ部１６ｂの直下に配置される薄壁部１６ｄから立ち上がるように外方に向かって厚壁部２６ｃが形成され、厚壁部２６ｃ内に中空部２６ｅが形成されている。このドレンパン２６も上記のドレンパン１６と同様スチロールやＡＢＳ等の材料で発泡加工により一体成型される。このドレンパン２６は中空部２６ｅにより軽量に形成される。
【００１６】
図４におけるドレンパン３６は、さらに中空部を増やすものであり、凹部を有する略Ｕ字形の胴体部３６ａと、胴体部３６ａの上部に形成されるフランジ部３６ｂとを有し、胴体部３６ａとフランジ部３６ｂとの外側の回りに中空部を形成するようにフランジ部３６ｂから底部に連接して外壁部３６ｃが形成されている。さらに、胴体部３６ａの両側には大中空部３６ｄを形成するように外壁部３６ｃの一部が突起して形成される。
【００１７】
そして、図１に示すように、上述のドレンパン１６、２６または３６の内いずれかのドレンパンが、図６に示す空気調和機１のドレンパン６に代わって取り付けられることになる。上記いずれかのドレンパン１６、２６または３６は、その胴体部の両側に形成された厚壁部によって、本体ケース２内の断熱効果を向上させるとともに、冷房運転時にあってはドレンパンの外周面に結露を付着させない。
【００１８】
図５は、改良された前面パネル１３を示すものであり、ドレンパンと同様の材料で発泡加工で形成され、吸い込み口１９の前部に僅かな薄壁部１３ａが形成されその前方部に下方（空気調和機１１に取り付けた時の内側部）に向かって厚壁部１３ｂが形成されている。また、厚壁部１３ｂには、図３に示すドレンパンの厚壁部と同様に内部に中空部を形成するようにしてもよい。
【００１９】
そして、図１に示すように、この前面パネル１３を図６に示す前面パネル３に代わって取り付けると本体ケース２内の断熱効果を向上させる。
【００２０】
上記のように、ドレンパンや前面パネルに厚壁部を形成させると薄壁部に対してその壁の厚みが増すので、壁の温度変化を少なくし断熱効果を促進する。しかも壁が厚い分、騒音を遮音するとともに防振対策にも寄与することができる。さらに、一体成型で形成されるので廉価に製作できる。
【００２１】
なお、本発明の空気調和機のドレンパンや前面パネルは、図１のユニット型に限らず床置き型あるいは他のタイプの空気調和機にも取り付けることが可能である。
【００２２】
さらに、ドレンパンや前面パネルは上記の形状に限るものではなく、例えば、ドレンパンに形成されるフランジ部が図６のように形成されていないものでもよく、また胴体部に形成される厚壁部は側面でなくても取りつける位置によっては底面に形成されてもよい。さらに、前面パネルは吸い込み口がないものであってもよい。
【００２３】
【発明の効果】
本発明の空気調和機は、本体内に熱交換器が配設され、前記本体の前面に配設される前面パネルと前記熱交換器の下方に配設されるドレンパンを有するものであり、前記ドレンパンが胴体部を有して形成され、前記胴体部の一部に薄壁部から立ち上がる厚壁部が一体的に形成されている。そのため、本体内の断熱効果を向上させることができ室内への送風を適温で吹き出すことができる。また、ドレンパンの側部に結露が付着することないため、運転時に吹き出し口から水を飛散させることがない。さらに厚みの厚い分、防音や防振効果を図ることができるとともに廉価に製作できる。
【００２４】
また、本発明の空気調和機は、本体内に熱交換器が配設され、前記本体の前面に配設される前面パネルと前記熱交換器の下方に配設されるドレンパンを有するものであり、前記前面パネルの壁部の一部に薄壁部から立ち上がる厚壁部が一体的に形成されている。したがって、本体ケース内の断熱効果だけでなく防音や防振対策を向上させることが可能となる。
【００２５】
さらに厚壁部に中空部を形成すれば、ドレンパンや前面パネルを軽量にすることができる。
【図面の簡単な説明】
【図１】本発明の空気調和機を示す断面図
【図２】図１におけるドレンパンを示す断面図
【図３】別の形態によるドレンパンを示す断面図
【図４】さらに別の形態によるドレンパンを示す断面図
【図５】図１における前面パネルを示す断面図
【図６】一般に使用されている従来の空気調和機の断面図
【符号の説明】
１…空気調和機
２…本体ケース
４…熱交換器
１３…前面パネル
１３ｂ…厚壁部
１６…ドレンパン
１６ａ…胴体部
１６ｃ…厚壁部
１６ｄ…薄壁部
２６…ドレンパン
２６ａ…胴体部
２６ｃ…厚壁部
２６ｄ…薄壁部
２６ｅ…中空部
３６…ドレンパン
３６ａ…胴体部
３６ｃ…外壁部
３６ｄ…大中空部
【図１】
0003777489.tif 000002
【図２】
0003777489.tif 000003
【図３】
0003777489.tif 000004
【図４】
0003777489.tif 000005
【図５】
0003777489.tif 000006
【図６】
0003777489.tif 000007